(57)【要約】【課題】プリーツスクリーンの重みで剛性帯体に撓みが発生して、プリーツスクリーンの上端縁の水平性が損われる。又ポストの接近に際してプリーツスクリーンの剛性や塑性変形に起因するプリーツの食み出しや、膨れ、乱れが発生し、特にポスト間距離を縮小するときに対向して配置されるポスト間の空気圧が高まるため、顕著に食み出しや乱れが生じて外観上非常に見苦しい。【解決手段】本発明に係わるスクリーン装置は、互いに対向させて配置する任意の長さを有するプリーツ形状に一体成形されたプリーツスクリーンの一方側のプリーツスクリーンの内側右傾斜面と、他方側のプリーツスクリーンの内側左傾斜面との間に、上部に配置された上部スクリーンセッターと、下部に配置された下部スクリーンセッターを上下に分割して架設して、プリーツスクリーンを対向して配置された第１ポストと第２ポストに掛け渡している。【選択図】図１
2013024020.tif 000002
【特許請求の範囲】
【請求項１】
第１ポストと、該第１ポストに対向して離間して配設された第２ポストと、
第１ポストと、該第１ポストに対向して離間して配設された第２ポストとの間に設けられ、スクリーンセッタを上下に分割して架設したスクリーンと、
第１ポスト及び第２ポストに所定の間隔を有して配設された上部リンクバーホルダー及び下部リンクバーホルダーと、
第１ポストと第２ポストとの間に配設された上部連結ホルダーと下部連結ホルダーと、
上部リンクバーホルダーに回動自在に固定され、該上部リンクバーホルダーと下部連結ホルダーとの間に架設された第１リンクバーと、
下部リンクバーホルダーに回動自在に固定され、該下部リンクバーホルダーと上部連結ホルダーとの間に架設された第２リンクバーと、
第１リンクバーと第２リンクバーとは、該リンクバーの中間位置で中央支軸に支軸されて第１リンク機構を構成し、
第１リンクバーと第２リンクバーとに接続され、ブリッジバー端部支軸に支軸されたブリッジバー連結ホルダーと、
前記ブリッジバーはブリッジバー端部支軸に支軸されて第２リンク機構を構成し、
前記上部連結ホルダー及びブリッジバー連結ホルダーに設けられスクリーンセッターの回動を許容し、かつ脱落を防止する凹部と、
を備えるスクリーン装置。
【請求項２】
前記スクリーンは、２枚のブリーツ状スクリーンを対向して配置した二重構造を備えることを特徴とする請求項１記載のスクリーン装置。
【請求項３】
ブリッジバー連結ホルダーと中央支軸ホルダー、及び上部連結ホルダーと下部連結ホルダーとの間には引張バネを配設したことを特徴とする請求項１記載のスクリーン装置。
【請求項４】
中央支軸ホルダーと下部連結ホルダーは、ブリッジバー連結ホルダー及び上部連結ホルダーに固定されたシャフトを貫通するための貫通孔を備えることを特徴とする請求項１記載のスクリーン装置。
【請求項５】
前記第１ポストと前記第２ポストの間に剛性帯体が架設され、剛性帯体の一端は、第１ポストに設けられた帯体巻取装置に屈曲案内部材を介して巻き取られ、剛性帯体の他端は、第２ポストに設けられたストッパーで固定されることを特徴とする請求項１記載のスクリーン装置。
【請求項６】
前記第１ポストと前記第２ポストの間に剛性帯体が架設され、剛性帯体は、第１ポスト及び第２ポストに設けられた剛性帯体ガイドに屈曲案内部材を介して架設されることを特徴とする請求項１記載のスクリーン装置。
【請求項７】
前記剛性帯体は、Ｒ形状バネであることを特徴とする請求項５又は６記載のスクリーン装置。
【請求項８】
前記剛性帯体は、スクリーンセッタに設けられた開口を貫通することを特徴とする請求項５又は６記載のスクリーン装置。
【請求項９】
該第１ポスト及び第２ポストの底部に開口部を設けたことを特徴とする請求項１記載のスクリーン装置。
【請求項１０】
該第１ポスト及び第２ポストは、１対の支持脚を備え、支持脚は、脚部支持軸に回動可能に取り付けられていることを特徴とする請求項１記載のスクリーン装置。
【請求項１１】
該第１ポスト及び又は第２ポストは、その上端部と天井との間に配設された摺動部材の長さを調節して第１ポスト及び又は第２ポストの移動を防止するために摺動部材固定装置を備えることを特徴とする請求項１記載のスクリーン装置。
【請求項１２】
摺動部材固定装置は、テンション機構を備えることを特徴とする請求項１記載のスクリーン装置。
【請求項１３】
上部連結ホルダー及び下部連結ホルダーを貫通し床面に到達するシャフトを設けたことを特徴とする請求項１記載のスクリーン装置。
【請求項１４】
上部連結ホルダーは、吊持シャフトの一端を固定し、他端は、ガイドレール内を摺動可能な支持ローラに取り付けられていることを特徴とする請求項１記載のスクリーン装置。
【発明の詳細な説明】
【技術分野】
【０００１】本発明は伸縮自在な間仕切りや、パーティション装置及びドア型装置に関するスクリーン装置、特に２重構造プリーツスクリーン装置に関する。
【背景技術】
【０００２】伸縮自在に対向して配置するポストの平行移動装置や、ポスト間にプリーツを掛け渡した間仕切りや、パーティション装置は、特許文献１（特開２００７−３２１４２１）に開示されている。
【先行技術文献】
【０００３】
【特許文献１】特開２００７−３２１４２１
【発明の概要】
【発明が解決しようとする課題】
【０００４】しかしながら特許文献１に記載される２重構造プリーツスクリーン装置は、対向して配置されるポスト間距離を任意に接近及び離反させるために、シーザスリンク機構をポスト間に介装して、ポスト間にプリーツスクリーンを掛け渡している。そのために、プリーツスクリーンの荷重の大半をレザースリンク機構の上方位置に掛け渡す屈曲自在な剛性帯体で保持する構造となっている。シーザスリンク機構の頂点間においては、プリーツスクリーンの重みで剛性帯体に撓みが発生して、プリーツスクリーンの上端縁の水平性が損われる。又ポストの接近に際してプリーツスクリーンの剛性や塑性変形に起因するプリーツの食み出しや、膨れ、乱れが発生し、特にポスト間距離を縮小するときに対向して配置されるポスト間の空気圧が高まるため、顕著に食み出しや乱れが生じて外観上非常に見苦しい。特許文献１は、これを防止すべき手段を開示しておらず、又アコーディオン型装置やドア型装置に使用する場合、ポスト間に掛け渡す剛性帯体にクラックが発生しやすく耐久性能を満たすことが出来ない。加えて剛性帯体は断面Ｒ状でＲを上向きとしてプリーツスクリーンを吊持しているため、プリーツスクリーンが前後に揺動して食み出しや乱れが発生しやすい。【０００５】本発明はこのような実情に鑑みなされたもので、その目的とするところは、対向して配置されるプリーツスクリーンの内側斜面間に任意のピッチでスクリーンセッターを上下に分割して架設し固着し、プリーツスクリーンを保持してプリーツスクリーンの自重による撓みを防止し、ポスト間に掛け渡されるプリーツスクリーンの上端縁の水平性を維持し、ポストの接近に際してプリーツの食み出しや乱れを防止し、かつプリーツの特性に関わらず安定的に軽い力で開閉できることを可能とした。さらに耐久機能を高めることのできる２重構造プリーツスクリーン装置と、これを用いたパーティション型装置やアコーディオン型装置、及びドア型装置を提供することにある。
【課題を解決するための手段】
【０００６】上述の目的を達成するため、本発明の請求項１に係わるスクリーン装置は、
第１ポストと、該第１ポストに対向して離間して配設された第２ポストと、
第１ポストと、該第１ポストに対向して離間して配設された第２ポストとの間に設けられ、スクリーンセッタを架設したスクリーンと、
第１ポスト及び第２ポストに所定の間隔を有して配設された上部リンクバーホルダー及び下部リンクバーホルダーと、
第１ポストと第２ポストとの間に配設された上部連結ホルダーと下部連結ホルダーと、
上部リンクバーホルダーに回動自在に固定され、該上部リンクバーホルダーと下部連結ホルダーとの間に架設された第１リンクバーと、
下部リンクバーホルダーに回動自在に固定され、該下部リンクバーホルダーと上部連結ホルダーとの間に架設された第２リンクバーと、
第１リンクバーと第２リンクバーとは、該リンクバーの中間位置で中央支軸に支軸されて第１リンク機構を構成し、
第１リンクバーと第２リンクバーとに接続され、ブリッジバー端部支軸に支軸されたブリッジバー連結ホルダーと、
前記ブリッジバーはブリッジバー端部支軸に支軸されて第２リンク機構を構成し、
前記上部連結ホルダー及びブリッジバー連結ホルダーに設けられスクリーンセッターの回動を許容し、かつ脱落を防止する凹部と、
を備える。【０００７】前記スクリーンは、２枚のブリーツ状スクリーンを対向して配置した二重構造
を備える。【０００８】ブリッジバー連結ホルダーと中央支軸ホルダー、及び上部連結ホルダーと下部連結ホルダーとの間には引張バネを配設した。【０００９】中央支軸ホルダーと下部連結ホルダーは、ブリッジバー連結ホルダー及び上部連結ホルダーに固定されたシャフトを貫通するための貫通孔を備える。【００１０】    前記第１ポストと前記第２ポストの間に剛性帯体が架設され、剛性帯体の一端は、第１ポストに設けられた帯体巻取装置に屈曲案内部材を介して巻き取られ、剛性帯体の他端は、第２ポストに設けられたストッパーで固定される。【００１１】前記第１ポストと前記第２ポストの間に剛性帯体が架設され、剛性帯体は、第１ポスト及び第２ポストに設けられた剛性帯体ガイドに屈曲案内部材を介して架設される。【００１２】前記剛性帯体は、Ｒ形状バネである。【００１３】前記剛性帯体は、スクリーンセッタに設けられた開口を貫通する。【００１４】該第１ポスト及び第２ポストの底部に開口部を設ける。【００１５】該第１ポスト及び第２ポストは、１対の支持脚を備え、支持脚は、脚部支持軸に回動可能に取り付けられている。【００１６】該第１ポスト及び又は第２ポストは、その上端部と天井との間に配設された摺動部材の長さを調節して第１ポスト及び又は第２ポストの移動を防止するために摺動部材固定装置を備える。【００１７】摺動部材固定装置は、テンション機構を備える。【００１８】上部連結ホルダー及び下部連結ホルダーを貫通し床面に到達するシャフトを設ける。【００１９】上部連結ホルダーは、吊持シャフトの一端を固定し、他端は、ガイドレール内を摺動可能な支持ローラに取り付けられている。
【発明の効果】
【００２０】本発明のスクリーン装置は、一対のポスト間に伸縮自在なシザースリンク機構を介装し、対向して配置されるプリーツスクリーンの内側斜面間に、上部スクリーンセッターと下部スクリーンセッターを上下に分割して架設する。上部スクリーンセッターは、リンク機構の上部連結ホルダーと、シザースリンク機構を構成するリンク機構の中央に掛け渡されるブリッジバー連結ホルダーによって回動自在に均等に分割して保持される。これにより、第１ポストと第２ポストの伸張及び縮小に際して、同一高さを維持させ連動させることにより、プリーツスクリーンの上端縁の水平性と均等な波形状を維持することができる。【００２１】さらに前記シザースリンク機構において、シザースリンク機構の上下間に引張りコイルバネを掛け渡すことにより、シザースリンク機構の伸張方向への平行移動分力を発生させて、ポスト間に掛け渡されるプリーツスクリーンの弾性抵抗に対向あるいはバランスさせ、第１ポストと第２ポストの離反に要する力を軽減して安定的に所望の位置に第１ポストと第２ポストの平行性を維持して配置することができる。【００２２】さらに前記シザースリンク機構において、シザースリンク機構の上下間にシャフトを挿通することにより、シザースリンク機構の伸縮に交差する方向に倒れるのを防止し、かつ前記上部連結ホルダー及びブリッジバー連結ホルダーを安定的に垂設することができる。【００２３】さらに少なくとも上部及び又は下部連結ホルダーに剛性帯体を貫通して掛け渡すことにより、第１ポストと第２ポストの接近に際してプリーツスクリーンの変形抵抗や空圧に起因するプリーツスクリーンの食み出しや乱れを防止することができる。【００２４】加えて、ドア型装置やアコーディオン型装置としての耐久性能を備え、要求される設置条件や作動条件に対しても自由な対応が可能な構造となっており、最小の畳み代で美麗な装著を提供することができる。
【図面の簡単な説明】
【００２５】
【図１】本発明の第１実施例に係る２重構造プリーツスクリーン装置を示す正面図である。
【図２】本発明の第１実施例に係る２重構造プリーツスクリーン装置のシザースリンク機構と、プリーツスクリーンを示す配置図である。
【図３】図１におけるＡ−Ａ及びＢ−Ｂ側面断面図である。
【図４】図３の平面図である。
【図５】本発明の第２実施例に係る２重構造プリーツスクリーン装置を示す正面図である。
【図６】本発明の第３実施例に係る２重構造プリーツスクリーン装置を示す正面図である。
【図７】本発明の第４実施例に係る２重構造プリーツスクリーン装置を示す正面図である。
【図８】本発明の第５実施例に係る２重構造プリーツスクリーン装置を示す正面図である。
【図９】本発明の第６実施例に係る２重構造プリーツスクリーン装置を示す正面図である。
【図１０】図９の側面図である。
【図１１】本発明の第７実施例に係る２重構造プリーツスクリーン装置を示す正面図である。
【図１２】図１１のガイドレール断面図である。
【図１３】本発明の第８実施例に係る２重構造プリーツスクリーン装置を示す正面図である。
【図１４】図１３の支持脚の側面断面図である。
【図１５】本発明の第９実施例に係る２重構造プリーツスクリーン装置を示す正面図である。
【図１６】図１５の平面図である。
【図１７】本発明の第１０実施例に係る２重構造プリーツスクリーン装置を示す側面断面図である。
【図１８】本発明の第１１実施例に係る２重構造プリーツスクリーン装置を示す正面図である。
【図１９】図１８のテンション機構の側面断面図である。
【図２０】本発明の第１２実施例に係る２重構造プリーツスクリーン装置を示す正面図である。
【図２１】本発明の第１３実施例に係る２重構造プリーツスクリーン装置を示す正面図である。
【図２２】本発明の図１のブリッジバー連結ホルダーと、リンクバーの上部連結ホルダーの別な構造を示す正面図である。
【発明を実施するための形態】
【００２６】上述の目的を達成するため、本発明に係わるスクリーン装置は、互いに対向させて配置する任意の長さを有するプリーツ形状に一体成形されたプリーツスクリーンの一方側のプリーツスクリーンの内側右傾斜面と、他方側のプリーツスクリーンの内側左傾斜面との間に、上部に配置された上部スクリーンセッターと、下部に配置された下部スクリーンセッターを上下に分割して架設して、プリーツスクリーンを対向して配置された第１ポストと第２ポストに掛け渡している。
【００２７】前記上部スクリーンセッターと下部スクリーンセッターの間、及び前記第１ポストと第２ポストの間には、一対のリンクバーを挟み、かつ一対のリンクバーを挟む上側半分のリンクバー斜面間には、支軸間の距離をリンクバーの中央支軸とリンクバー端部支軸間の距離の１／２とした一対のブリッジバーを設ける。リンクバーの中央支軸と端部支軸の中央に配置される中間支軸を介して、逆Ｖ字状に掛け渡してリンク機構を設ける。さらに前記リンク機構を複数連ねてシザースリンク機構を構成して、前記第１ポストと第２ポストの間に伸縮自在に介装している。
【００２８】前記シザースリンク機構の両端に位置し、前記リンクバーを回動自在に支持するリンクバーホルダーの上部を前記第１ポストと第２ポストに固着する。シザースリンク機構の両端に位置する前記リンクバーホルダーの下部を第１ポストと第２ポストにスライド可能に支持して、第１ポストと第２ポストを接近及び離反可能に連結している。
【００２９】前記ブリッジバーを逆Ｖ字状に回動自在に連結するブリッジバー連結ホルダーと、前記リンク機構の上部を回動自在に連結する上部連結ホルダーは、前記第１ポストと第２ポストの接近や離反によって発生する上部スクリーンセッターの回動を許容し、かつ脱落が防止されるように等ピッチで保持して第１ポストと第２ポストの接近及び離反による前記シザースリンク機構の伸張又は縮小に連動させて、プリーツスクリーンのプリーツを均等な波形状に維持している。
【００３０】本発明に係るスクリーン装置は、前記シザーリンク機構における前記ブリッジバー連結ホルダーと、前記中央支軸に回動自在に取着される中央支軸ホルダーとの間、又は前記リンク機構を連結する前記上部連結ホルダーと、下部連結ホルダーとの間、又はシザースリンク機構の両端の上下に位置する前記リンクバーホルダーとの間のいずれに任意の部位に引張りコイルバネを掛け渡して、前記第１ポストと第２ポストの接近及び離反による前記インクバーの傾動を発生させて、変移するシザースリンク機構への伸張分力と、前記プリーツスクリーンの伸張に際して弾性抵抗張力とを対抗あるいは拮抗させる。かつシザースリンク機構に対する伸張分力によって、第１ポストと第２ポストの平行性を維持して、安定的に第１ポストと第２ポストを接近及び離反させることができる。
【００３１】本発明に係るスクリーン装置は、前記シザースリンク機構において、前記ブリッジバー連結ホルダーと、前記中央支軸に回動自在に取着される中央支軸ホルダーとの間、及び前記リンク機構を連結する前記上部連結ホルダーと前記下部連結ホルダーとの間にシャフトを挿通する。ブリッジバー連結ホルダーと上部連結ホルダーとの間にシャフトを固定し、前記中央支軸ホルダーと下部連結ホルダーに前記シャフトをスライド自在に貫通して、シザースリンク機構の伸縮に併って一体に平行に横移動させる。前記第１ポストと第２ポストの接近あるいは離反に伴なう前記リンクバーの傾動によるブリッジバー連結ホルダーと上部連結ホルダーの供回りを規制して、常に前記上部スクリーンセッターを垂下に保持し、かつシザースリンク機構が伸縮と交差する方向への倒れ込みを防止する。
【００３２】本発明に係わるスクリーン装置は、前記シザースリンク機構を介装する前記第１ポストと第２ポストに掛け渡される前記プリーツスクリーンにおいて、プリーツスクリーンに任意のピッチで架設し固着される前記下部スクリーンセッター、又は下部及び上部スクリーンセッターの両方に長方形状の孔を長辺方向を横向きとして開口し、あるいは上部及び下部スクリーンセッターの端部に略Ｃ形状の案内溝を設けて、前記長方形状の孔、あるいは略Ｃ形状の案内溝に対してスライド自在となる断面Ｒ状又は平状をなす剛性帯体を貫通させて第１ポストと第２ポストに掛け渡す。剛性帯体の一方の端部を第１ポスト又は第２ポストのいずれか一方のポスト内に屈曲案内部材を介して案内する。前記一方のポストの任意な部位に取着される剛性帯体巻き取り、剛性帯体の他の一方の端部を他の一方のポストに系止する。第１ポストと第２ポストの接近あるいは離反によるポスト間距離に応じて、第１ポストと第２ポスト間に所定の張力をもって剛性帯体を張設する。第１ポストと第２ポストの接近に際して発生するシザースリンク機構に交差する方向へのプリーツスクリーンの食み出しや揺動及び乱れを防止する。
【００３３】本発明に係わるスクリーン装置は、前記シザースリンク機構を介装する前記第１ポストと第２ポストに掛け渡される前記プリーツスクリーンにおいて、プリーツスクリーンに任意のピッチで架設し固着される前記下部スクリーンセンター、又は下部及び上部スクリーンセッターの両方に長方形の孔を長辺方向を横向きとして開口し、あるいは上部及び下部スクリーンセッターの端部に略Ｃ形状の案内溝を設ける。前記長方形状の孔、あるいは略Ｃ形状の案内溝に対してスライド自在となる断面Ｒ状の剛性帯体を貫通させて第１ポストと第２ポストに掛け渡す。前記剛性帯体の端部を第１ポスト、第２ポストのいずれか一方のポスト、又は両方のポストに屈曲案内部材を介して、上部スクリーンセッターを貫通する。ポストの下方に、又下部スクリーンセッターを貫通する剛性帯体は、ポスト上方に屈曲可能に収納する。第１ポストと第２ポストの接近あるいは離反によるポスト間の距離に応じて、剛性帯体は、引き出され、又は収納してポスト間に掛け渡す。これにより、第１ポストと第２ポストの接近に際して発生するシザースリンク機構に交差する方向へのプリーツスクリーンの食み出しや揺動及び乱れを防止する。
【００３４】本発明に係わるスクリーン用いたパーティション型装置として、前記シザースリンク機構を介装する前記第１ポストと第２ポストにおいて、第１ポストと第２ポストの下端部にポストに交差して突出させる支持脚を備え、第１ポストと第２ポストを所望の間隔で自立させる。
【００３５】本発明に係わるスクリーンを用いたアコーディオン型吊り下げ装置として、前記シザースリンク機構を介装する前記第１ポストと第２ポストにおいて、ガイドレールを第１ポストと第２ポストを対向する一対の側壁間に配置し、両側壁の上部間に架設する。第１ポストと第２ポストの上端部に前記ガイドレールを転動する支持ローターを取着して、第１ポストと第２ポストをガイドレールに沿って移動させ、シザースリンク機構の伸張及び縮小を自在となす。
【００３６】本発明に係わるスクリーンを用いたドア型装置として、前記シザースリンク機構を介装する前記第１ポスト及び第２ポストを対向する一対の側壁間に配置し、第１ポスト又は第２ポストのいずれか一方のポストを側壁に固定する。他の一方のポストの下端部にポストに交差して突出させる支持脚を備え、かつポストの直下部位及び前記支持脚の両端部近傍の３支点に床面を転動するローラーを取着する。前記他の一方のポストをローラーの転動を介して移動させ、シザースリンク機構の伸張及び縮小を自在とする。
【００３７】本発明に係わるスクリーンを用いたパーティション型装置は、前記シザースリンク機構を介装する前記第１ポスト及び第２ポストの下端部にはポストに交差して突出させる支持脚を儲ける。かつポストの直下部位には、別に配置されるパーティション型装置の第１ポスト及び第２ポストの下端部にポストを交差して突出する支持脚を収納自在とする開口部を設ける。２台のパーティション型装置の互いの一方のポストを当接させＬ字型に連結する。
【００３８】本発明に係わるスクリーンを用いたパーティション型装置及びドア型装置は、前記シザースリンク機構を介装する前記第１ポストと第２ポストの下端部にポストに交差して突出させる支持脚を、前部支持脚と後部支持脚に分割して設ける。前記前部支持脚を後部支持脚を支軸をもって下方に回動し、第１ポスト及び第２ポストに対して平行に折りたたみ可能として、包装や梱包の容積を縮小し、保管及び輸送条件に係わるコストをセーブできる。
【００３９】本発明に係わるスクリーンを用いたドア型型装置として、前記シザースリンク機構を介装する前記第１ポストと第２ポストのいずれか一方のポストにスライドパイプをスライド移動自在に嵌入する。前記スライドパイプをポストより所望の距離を引き出して、スライドパイプ上端に取着される圧接部材と、スライドパイプにスライド移動自在としポスト上端部に当接されて固定するネジ送り装置をもって、天井又は横壁に所定の突張り力をもって圧接させて一方のポストを固定し他方のポストを移動させることができる。
【００４０】本発明に係わるスクリーン装置は、前記第１ポストと第２ポストに掛け渡される前記シザースリンク機構において、前記リンク機構を連結する前記上部連結ホルダーと前記下部連結ホルダーの間にシャフトを挿通する。上部連結ホルダーはシャフトを固定する。下部連結ホルダーは前記シャフトをスライド移動自在に貫通させて、かつ第１ポストと第２ポストの最下端部と同一の高さとなるように垂下させる。シャフト最下端部は床面を転動するローラーを取着し、シザースリンク機構の伸張に際してのタワミを防止して、プリーツスクリーンの上端縁の水平性を維持し、前記プリーツスクリーンの均等な波形状を維持して、第１ポストと第２ポスト間の離反距離を大きくとれる。
【００４１】本発明に係わるスクリーン装置は、前記シザースリンク機構と、シザースリンク機構を介装する前記第１ポストと第２ポストを対向する一対の側壁側に配置し、両壁側の上部間にガイドレールを架設する。第１ポストと第２ポストの上端部及びシザースリンク機構における前記リンク機構とを連結する前記上部連結ホルダーと前記ガイドレール間に垂設する吊持シャフトを設ける。ガイドレールを転動するローラーを介して取着する。第１ポストと第２ポスト及び前記吊持シャフトをガイドレールに沿って平行移動させることを可能として、シザースリンク機構の伸張に際してタワミを防止し、前記プリーツスクリーンの上端縁の水平性を維持し、プリーツスクリーンの均等な波形状を維持し、第１ポストと第２ポストの離反距離を大きくとれる。
以下、本発明の実施例を以下に説明する。
【実施例１】
【００４２】  第１実施例に係る２重構造プリーツスクリーン装置を図１〜図４を用いて説明する。２重構造プリーツスクリーン装置は、互いに対向して配置されるプリーツ形状に一体成形されたプリーツスクリーン２を備える。一方側のプリーツスクリーンの内側右傾斜面と他方側の内側左傾斜面との間に、上部スクリーンセッター１７と下部スクリーンセッター１８を、プリーツスクリーンの上下に任意のピッチで架設する。プリーツスクリーン２の両端部を第１ポスト５と第２ポスト６に掛け渡して固定している。【００４３】  前記上部スクリーンセッター１７と下部スクリーンセッター１８の間には、前記第１ポスト５と第２ポスト６に固定された一体のリンクバーが交差して設けられている。上側半分で中央支軸１５で互いに交差して配設されたリンクバー７の斜面間は、リンクバー７の中央支軸１５とリンクバー端部支軸１６の支軸間距離の１／２の支軸間距離を有するブリッジバー８を設ける。リンクバーの中央支軸１５とリンクバー端部支軸１６の中央に配置する中間支軸１４に逆Ｖ字状に掛け渡したリンク機構４を備える。さらに前記リンク機構４を複数連ねてシザースリンク機構３を構成して、リンクバー７は前記第１ポスト５と第２ポスト６の間に伸縮自在に移動する。【００４４】  前記シーザスリンク機構３の両端に位置して、前記リンクバー７を移動自在に支持するリンクバーホルダー９が、第１ポスト５と第２ポスト６の上方で固着されている。シザースリンク機構３の両端に位置するリンクバーホルダー９は、第１ポスト５と第２ポスト６間をスクリーンがスライド可能に移動するのを支持する。前記リンク機構４に連結されている上部連結ホルダー１２及びブリッジバー連結ホルダー１０の高さは一定に保持され、前記第１ポスト５と第２ポスト６の接近及び離反を可能にする。【００４５】  前記ブリッジバー連結ホルダー１０及び前記上部連結ホルダー１２は、プリーツスクリーン２に設けられる前記上部スクリーンセッター１７に架設される。前記ブリッジバー連結ホルダー１０及び前記上部連結ホルダー１２は、前記第１ポスト５と第２ポスト６の接近及び離反によって発生する上部スクリーンセッターの回動を許容し、かつ脱落が防止できるように、任意のピッチで挟み込むように保持してプリーツスクリーン２を吊持垂下させている。【００４６】  前記第１ポスト５と第２ポスト６の接近及び離反により、前記シザースリンク機構３は伸張又は縮小される。同時に第１ポスト５と第２ポスト６に掛け渡されるプリーツスクリーン２はポスト間距離に対応して均等な波形状をもって、シザースリンク機構３を覆い隠すようにシザースリンク機構３の前後に掛け渡たされる。【００４７】  ２重構造プリーツスクリーン装置は、対向して配置されるプリーツスクリーン２と、プリーツスクリーン２を掛け渡す第１ポスト５及び第２ポスト６と、プリーツスクリーン２に架設される上部スクリーンセッター１７及び下部スクリーンセッター１８と、第１ポスト５と第２ポスト６に介装されるシザースリンク機構３を備える。【００４８】  前記ブリッジバー連結ホルダー１０と、リンクバー７の上部連結ホルダー１２は、リンクバー７及びブリッジバー８に対して回動自在に、前記上部スク���ーンセッター１７を挟み込むように取着されている。垂直に吊持されるプリーツスクリーン２及び上部スクリーンセッター１７の自重と剛性により、ポストの接近及び離反に伴うリンクバー７やブリッジバー８の傾動に対して共回りすることなく安定して垂下してプリーツスクリーン２及び上部スクリーンセッター１７を保持できるようにしている。【００４９】  プリーツスクリーン２に任意のピッチで架設される上部スクリーンセッター１７は、ブリッジバー連結ホルダー１０と、リンクバー７の上部連結ホルダー１２との間で極めて短い距離で均等に振り分けられて吊持される構造となっている。プリーツスクリーン２が、第１ポスト５及び第２ポスト６の接近、離反に連動して伸縮する際にプリーツの平行性を上端縁の水平性を保持している。【００５０】  以上のように構成される２重構造プリーツスクリーン装置は、第１ポスト５と第２ポスト６を接近又は離反させるとき、第１ポスト５と第２ポスト６に掛け渡されるプリーツスクリーン２を、シザースリンク機構３の伸張及び縮小に合せて、プリーツスクリーン２の上端縁の水平性と、プリーツの平行性すなわち均等な波形状を保持しながら連動させることができる。
【実施例２】
【００５１】  第２実施例に係る２重構造プリーツスクリーン装置を図５を用いて説明する。２重構造プリーツスクリーン装置は、前記シザースリンク機構３において、前記ブリッジバー連結ホルダー１０と中央支軸ホルダー１１との間、又は前記リンク機構４に連結する上部連結ホルダー１２と下部連結ホルダー１３の間、あるいはシザースリンク機構３の両端の上下に位置するリンクホルダー９との間のいずれかに、引張りコイルバネ２０を掛け渡して、シザースリンク機構３の伸張方向への平行移動分力を発生させている。【００５２】  シザースリンク機構３の伸張方向への平行移動分力は、前記第１ポスト５と第２ポスト６に掛け渡されて伸張されるプリーツスクリーン２の縮小方向への弾性力に対抗、あるいはバランスして、第１ポスト５と第２ポスト６の離反距離を安定して保つようになっている。前記引張りコイルバネ２０の最大張力は、掛け渡されるプリーツスクリーン２の剛性によって決定される。【００５３】  さらに前記引張りコイルバネ２０は、引張りコイルバネ２０を掛け渡す、前記上部連結ホルダー１２と、前記ブリッジバー連結ホルダー１０の垂説状態を張力によって強制的に維持して、第１ポスト５と第２ポスト６の接近及び離反に伴うブリッジバー８とリンクバー７の傾動による共回りを規制している。【００５４】  加えて、シザースリンク機構３の伸張方向への平行移動分力をもって、第１ポスト５と第２ポスト６の平行性を維持し、かつ、側壁間に本装置を配置するとき所定の突張り力をもって側壁に当接させることができる。
【実施例３】
【００５５】  第３実施例に係る２重構造プリーツスクリーン装置を図６を用いて説明する。２重構造プリーツスクリーン装置は、前記シザースリンク機構３において、前記連結ホルダー１０と中央支軸ホルダー１１の間、及び前記ブリッジバー連結ホルダー１０と上部連結ホルダー１２の間にシャフトを挿通し、上部連結ホルダー１２をシャフトに固定し、中央支軸ホルダー１１と下部連結ホルダー１３をシャフト２１にスライド自在に貫通させている。【００５６】  前記ブリッジバー連結ホルダー１０及び上部連結ホルダー１２から垂設されたシャフト２１は、シザースリンク機構３の伸縮に併って連動して平行に横移動し、シザースリンク機構３の伸縮を許容し、第１ポスト５と第２ポスト６のポストに交差する方向へのネジレ強度を高める。【００５７】  加えて、ブリッジバー連結ホルダー１０と、上部連結ホルダー１２に固定されている中央支軸ホルダー１１と、下部連結ホルダー１３にスライド自在にシャフト２１を貫通させることにより、ブリッジバー連結ホルダー１０と下部連結ホルダー１２のリンクバー７の傾動による共回りを規制して、上部連結ホルダー１２とブリッジバー連結ホルダー１０を安定して垂下させて保持することができる。
【実施例４】
【００５８】  第４実施例に係る２重構造プリーツスクリーン装置を図７を用いて説明する。２重構造プリーツスクリーン装置は、前記シザースリンク機構３を介装する第１ポスト５と、第２ポスト６と、前述のプリーツスクリーンを上下に分割して、架設固着する上部スクリーンセッター１７と、下部スクリーンセッター１８を備える。少なくとも前記下部スクリーンセッター１８及び又は上部スクリーンセッター１７に、長方形の平孔２５を長辺方向を横向きとして開口を設け、あるいは上部スクリーンセッター１７と下部スクリーンセッター１８の端部に略Ｃ形状の案内溝を設ける。前記長方形の平孔２５、あるいは略Ｃ形状の案内溝に対してスライド自在となる断面Ｒ状又は平状の剛性帯体２３を貫通させて、前記第１ポスト５と第２ポスト６に掛け渡している。【００５９】  第１ポスト５と第２ポスト６には、剛性帯体２３の一方の端部を前記第１ポスト５、第２ポスト６のいずれか一方のポスト内に屈曲案内部材２２を介して案内し、前記一方のポストの任意な部位に取着された剛性帯体巻き取り装置２６により巻き取り、剛性帯体２３の他の一方の端部を他の一方のポストに帯体ストッパー２４に系止している。【００６０】  上部スクリーンセッター１７と下部スクリーンセッター１８を貫通する剛性帯体２３は、横向きとして掛け渡されて、剛性帯体に交差する曲げに対しては非常に強い剛性を有しておいる。前記第１ポスト５と第２ポスト６に接近に際する空圧や、プリーツスクリーン２の弾性及び塑性変形対抗によるシザースリンク機構３の前後に交差する方向へのプリーツスクリーン２を整然と折り畳み縮小することができる。【００６１】  剛性帯体巻取り装置２６はゼンマイバネ又はコイルバネによって剛性帯体２３を巻き取る構造となっている。第１ポスト５と第２ポスト６の接近あるいは離反に際して巻き取られ、又は常に任意の張力で第１ポスト６と第２ポスト６の間に張設されている。【００６２】  剛性帯体２３は、プリーツスクリーン２の理想的な３〜５山ピッチで架設固着される前記上部スクリーンセッター１７又は下部スクリーンセッター１８に、非常に短い距離で支持されている。プリーツスクリーンの荷重の大半をシザースリンク機構３で保持しているため、剛性帯体２３の厚みを極めて薄く設定できて、剛性帯体２３の素材も金属や硬質フィルムと広く設定することができて、耐久性能を高めることができる。
【実施例５】
【００６３】  第５実施例に係る２重構造プリーツスクリーン装置を図９を用いて説明する。２重構造プリーツスクリーン装置は、前記シザースリンク機構３を介装する第１ポスト５、第２ポスト６、前述のプリーツスクリーン２を上下に分割して架設し固着される上部スクリーンセッター１７及び下部スクリーンセッター１８を備える。前記下部スクリーンセッター１８及び又は上部スクリーンセッター１７の両方に長方形状の平孔２５を長辺方向を横向きとして開口を設け、あるいは上部スクリーンセッター１８、下部スクリーンセッター１７の端部に略Ｃ形状の案内溝を設ける。前記平孔２５、あるいは略Ｃ形状案内溝に対してスライド自在となる断面にＲ状の剛性帯体２７を貫通させて、前記第１ポスト５と第２ポスト６に掛け渡している。【００６４】  前記第ポスト５と第ポスト６に前記Ｒ状剛性帯体２７を屈曲し案内する屈曲案内部材２２を任意な部位に取着して、Ｒ状剛性帯体２７をポスト内に屈曲収納可能としている。前記Ｒ状剛性帯体２７は、第１ポスト５と第２ポスト６の接近に際して押動されてポスト内部に屈曲案内される座屈しにくい円弧状の断面に形成されている。上部スクリーンセッター１７は円弧面を上向きとして、下部スクリーンセッター１８は円弧面を下向きとして剛性帯体２７を貫通させている。上部スクリーンセッター１７を貫通するＲ状剛性帯体２７はポストの下方に、下部スクリーンセッター１８を貫通するＲ状剛性帯体２７はポストの上方に剛性帯ガイド２２に先導されて屈曲収納されている。【００６５】  前記Ｒ状剛性帯体２７は、前記第１ポスト５と第２ポスト６の間においては断面がＲ状で直線を保ち、屈曲案内部材２２においては平面状に伸展させ９０°屈曲し、その後円弧状に復元させて直線状態に復帰させるようになっている。【００６６】  前記Ｒ状剛性帯体２７を屈曲収納するポストは、第１ポスト５と第２ポスト６の最大離反距離で決定される。最大離反距離が一方のポストにおけるＲ状剛性帯体の屈曲収納距離を超えないときは第１ポスト５又は第２ポスト６のいずれか一方のポストにＲ状剛性帯体２７の一方の端部を屈曲収納し、他方の端部を他方のポストに固定する。ポストの最大離反距離がＲ状剛性帯体２７の一方のポストの屈曲収納距離を超えるときは、第１ポスト５と第２ポスト６の両ポストに屈曲収納される。【００６７】  Ｒ状剛性帯体２７は、プリーツスクリーン２に３〜５山ピッチで架設し、固着される前記上部スクリーンセッター１７又は下部スクリーンセッター１８を貫通し非常に短い距離で支持される。かつ、プリーツスクリーン２の荷重の大半をシガースリンク機構３で保持して荷重によるタワミが発生しにくい構造となっているため、Ｒ状剛性帯体２７の厚みを極めて薄く設定でき、Ｒ状剛性帯体２７のクラックの発生を防ぎ、屈曲収納の耐久性を高めることができるようになっている。
【実施例６】
【００６８】  第６実施例に係る２重構造プリーツスクリーン装置を図９及び図１０を用いて説明する。２重構造プリーツスクリーン装置は、前記第１ポスト５と第２ポスト６の下端部にポストに交差して前後に突出させる支持脚２９が設けられている。平行移動装置１を所望の使用場所に簡便に搬送して、第１ポスト５と第２ポスト６を所望の間隔に離反させて、シザースリンク機構３をプリーツスクリーン２で覆い隠すように自立させることができる。
【実施例７】
【００６９】  第７実施例に係る２重構造プリーツスクリーン装置を図１１及び図１２を用いて説明する。２重構造プリーツスクリーン装置は、前記第１ポスト５と第２ポスト６を対向する一体の側壁間に配置し、両側壁３２の上部間にガイドレール３１を架設する。第１ポスト５と第２ポスト６の上端部に前記ガイドレール３１を転動するローラー３０を取着する。第１ポスト５と第２ポスト６をガイドレール３１に沿って移動させて、第１ポスト５と第２ポスト６を対向する側壁３２に当接させる。【００７０】  またプリーツスクリーン２は第１ポスト５と第２ポスト６の接近によるシザースリンク機構３の縮小によって均等に密着状態で折り畳まれるので、側壁３２間の距離に対しての畳み代が小さくなって、側壁３２間の開口部を有効に活用することができる。【００７１】  さらに、シザースリンク機構３に引張りバネ２０を組み込む構造によれば、シザースリンク機構３に伸張方向への平行移動分力を発生させているので、第１ポスト５と第２ポスト６を所定の突張り力をもって側壁３２に当接でき、第１ポスト５と第２ポスト６を側壁３２に固定するためのフックや、磁性体を使用せずに設置することができる。
【実施例８】
【００７２】  第８実施例に係る２重構造プリーツスクリーン装置を図１３及び図１４を用いて説明する。２重構造プリーツスクリーン装置は、対向して配置される側壁３２に第１ポスト５又は第２ポスト６のいずれか一方のポストを固定する。他の一方のポスト下端部にはポストの前後に交差して突出させる支持脚２９を設け、かつ、前記他の一方のポストの直下部位及び前記支持脚２９の両端部近傍に床面３４を転動するローラー３３を配設する。ローラー３３を床面３４に転動させて、前記他の一方のポストを移動させることのできるドア型装置で、側壁３２の前後の空間を簡便に遮蔽することができる。【００７３】  前記他の一方のポストの直下部位に配設されるローラー３３は、製品荷重を直接受けることとなるので、前記支持脚２９の端部のみにローラー３３を配設したときと比較し、床面３４の摩擦や操作荷重の片寄りによって発生する支持脚２９のブレや振動を防ぎ、スムーズに前記他の一方のポストを移動させることができる。
【実施例９】
【００７４】  第９実施例に係る２重構造プリーツスクリーン装置を図１５及び図１６を用いて説明する。２重構造プリーツスクリーン装置は、前記第１ポスト５と第２ポスト６の最下端部にポストの前後に交差して突出させる支持脚２９を設ける。かつ、第１ポスト５と第２ポスト６の一方のポストあるいは両方のポストの直下部位に、前記支持脚２９の突出部を収納可能とする開口部３５を設ける。【００７５】  前記開口部３５は、平行移動装置１を略Ｌ字状に連装するとき、２台の平行移動装置１の互いのポストを当接し、一方のポストの真下に他方のポストの支持脚２９の突出部をスライド嵌入させて、互いのポストを密着させて当接させることを可能としている。
【実施例１０】
【００７６】  第１０実施例に係る２重構造プリーツスクリーン装置を図１７を用いて説明する。２重構造プリーツスクリーン装置は、第１ポスト５と第２ポスト６の下端部にポストの前後に交差して突出させる支持脚を前部支持脚３６と後部支持脚３７に分割して設ける。ポスト下端部に取着される支持脚ホルダー３８と支持脚ホルダー３８に取着される脚部支軸３９によって、前記前部支持脚３６と後部支持脚３７を回動自在に支持して、前部支持脚３６と後部支持脚３７を第１ポスト５及び第２ポスト６に対して下方方向に平行な状態として折畳み収納可能としている。【００７７】  前記前部支持脚３６と後部支持脚３７は、ポストに対する角度が９０°のとき前部支持脚３６と後部支持脚３７の上方背面が前記支持脚ホルダー３８の底面に当接して９０°以上の上方回動が規制されており、ポストの安定した自立を可能なものとしている。【００７８】  前記前部支持脚３６と後部支持脚３７の第１ポスト５及び第２ポスト６に対する平行な下方方向への折り畳みは、包装、梱包に際する資材断面を大幅に縮小できて、保管、輸送条件を有利なものとすることができる。
【実施例１１】
【００７９】  第１１実施例に係る２重構造プリーツスクリーン装置を図１８及び図１９を用いて説明する。２重構造プリーツスクリーン装置は、第１ポスト５又は第２ポスト６のいずれか一方のポストにスライドパイプ４３をポストのスライドパイプホルダー５３にスライド移動自在に嵌入している。【００８０】スライドパイプ４３は、第１ポスト又は第２ポストの設置される天井の高さに合せて所望の距離が引き出される。前記スライドパイプ４３の上端部にテンション機構４０を構成する当接部材５０と圧縮バネ４４が設けられる。所定の突張り力をもって当接し、スライドパイプ４３にスライド移動自在に嵌入されるネジ送り装置４２を構成するスライドパイプストッパー４６が、化粧ボトル４７をもってスライドパイプ４３に圧接して固定されている。さらに同じくネジ送り装置４２を構成する化粧ナット４８を回動してスライドパイプ４３が、上方に押動し所定の圧着力をもって、第１ポスト５又は第２ポスト６のいずれか一方のポストを床面と天井面の間に圧着固している。【００８１】  上記方法によれば、２重造プリーツスクリーン装置をドア型装置として使用するとき、第１ポスト５又は第２ポスト６のいずれか一方のポストを側壁に固定する必要はなく、広い空間の任意な場所にポストを自由に移動させて空間を仕切ることができる。
【実施例１２】
【００８２】  第１２実施例に係る２重構造プリーツスクリーン装置を図２０を用いて説明する。２重構造プリーツスクリーン装置は、前記第１ポスト５と第２ポスト６に介装されるシザースリンク機構３において、前記リンク機構を連結する上部連結ホルダー１２と下部連結ホルダー１３との間にシャフト２１を挿通して設ける。上部連結ホルダー１２はシャフト２１に固定し、下部連結ホルダー１３は前記シャフト２１をスライド自在に貫通させて、かつ、第１ポスト５と第２ポスト６の下端部に取着される支持脚２９の最下端部まで垂下させている。【００８３】  シャフト２１の下端部は、シャフトホルダー５４に支軸を介してシャフトローラー５３が転動自在に取着されていて、前記上部連結ホルダー１２を同一の高さに維持しながら前記第１ポスト５と第２ポスト６の伸張及び縮小に連動して平行移動し、前記シザースリンク機構３の下方方向へのタワミを防止している。【００８４】  リンク機構４の連結数を増して前記第１ポスト５と第２ポスト６の離反距離を大きく設定しても、前記シザースリンク機構３のタワミを防止できて、ポスト間に掛け渡されて前記上部連結ホルダー１２に保持されるプリーツスクリーンの上端縁の水平性を保持することができる。
【実施例１３】
【００８５】  第１３実施例に係る２重構造プリーツスクリーン装置を図２１及び図２２を用いて説明する。２重構造プリーツスクリーン装置は、前記第１ポスト５と第２ポスト６に介装される前記シザースリンク機構３において、第１ポスト５と第２ポスト６に対向する一対の側壁間に設置し、両側壁の上部間にガイドレール３２を架設する。第１ポスト５と第２ポスト６の上端部にガイドレール３１を転動する支持ローラー３０を取着する。かつ、前記リンク機構４を連結する前記上部連結ホルダー１２を吊持する吊持シャフト５５をガイドレール３１と上部連結ホルダー１２の間に垂設している。【００８６】  前記吊持シャフト５５の上端部は前記ガイドレール３１を転動する支持ローラー３０を取着しており、下端部は前記上部連結ホルダー１２に固定されている。吊持シャフト５５は第１ポスト５と第２ポスト６の接近あるいは離反に連動してポストに対して平行移動し、上部連結ホルダー１２を常に一定の高さに保持している。【００８７】  リンク機構４の連結数を増して前記第１ポスト５と第２ポスト６の離反距離を大きく設定してもシザースリンク機構３のタワミを防止できる。ポスト間に掛け渡されて、上部連結ホルダー１２に保持されるプリーツスクリーン２の上端縁の水平を維持する。【００８８】  図２２はリンクバー及びブリッジバー８の別な連結構造を示しており、上部連結ホルダー１２、下部連結ホルダー１３及びブリッジバー連結ホルダーにリンクバーを重ね合せることなく支軸を対称に回動自在に配置している。
【産業上の利用可能性】
【００８９】間仕切り、アコーディオンドア、つい立、カーテン、パーティション、ドア
【符号の説明】
【００９０】１    平行移動装置
２    プリーツスクリーン
３    シザースリンク機構
４    リンク機構
５    第１ポスト
６    第２ポスト
７    リンクバー
８    ブリッジバー
９    リンクバーホルダー
１０  ブリッジバー連結ホルダー
１１  中央支軸ホルダー
１２  上部連結ホルダー
１３  下部連結ホルダー
１４  中間支軸
１５  中央支軸
１６  リンクバー端部支軸
１７  上部スクリーンセッター
１８  下部スクリーンセッター
１９  ブリッジバー端部支軸
２０  引張りバネ
２１  シャフト
２２  屈曲案内部材
２３  剛性帯体
２４  ストッパー
２５  平孔
２６  剛性帯体巻取り装置
２７  Ｒ状剛性帯体
２８  剛性帯体ガイド
２９  支持脚
３０  支持ローラー
３１  ガイドレール
３２  側壁
３３  ローラー
３４  床面
３５  開口部
３６  前部支持脚
３７  後部支持脚
３８  支持脚ホルダー
３９  脚部支軸
４０  テンション機構
４１  圧接部材
４２  ネジ送り装置
４３  スライドパイプ
４４  圧縮バネ
４５  スライドパイプ  キャップ
４６  スライドパイプ  ストッパー
４７  化粧ボルト
４８  化粧ナット
４９  ポストキャップ
５０  当接部材
５２  圧接ゴム
５３  スライドパイプ  ホルダー
５４  ローラーホルダー
５５  吊持シャフト
【図１】
2013024020.tif 000003
【図２】
2013024020.tif 000004
【図３】
2013024020.tif 000005
【図４】
2013024020.tif 000006
【図５】
2013024020.tif 000007
【図６】
2013024020.tif 000008
【図７】
2013024020.tif 000009
【図８】
2013024020.tif 000010
【図９】
2013024020.tif 000011
【図１０】
2013024020.tif 000012
【図１１】
2013024020.tif 000013
【図１２】
2013024020.tif 000014
【図１３】
2013024020.tif 000015
【図１４】
2013024020.tif 000016
【図１５】
2013024020.tif 000017
【図１６】
2013024020.tif 000018
【図１７】
2013024020.tif 000019
【図１８】
2013024020.tif 000020
【図１９】
2013024020.tif 000021
【図２２】
2013024020.tif 000022
【図２０】
2013024020.tif 000023
【図２１】
2013024020.tif 000024